(57)【要約】【課題】皮膚に微弱電流を供給しながら体毛処理を行う。【解決手段】グリップ部の上方に体毛を切断又は引き抜いて処理する体毛処理部を備える。体毛処理部上に、プラス電圧が印加されるプラス電極部とマイナス電圧が印加されるマイナス電極部を設ける。外刃または外刃を保持する部材を一方の電極部とし、外刃または外刃を保持する部材の周辺に対極となる電極部を設けて、両電極の皮膚への同時当接を可能にした。【選択図】図６
2008307097.tif 000002
【特許請求の範囲】
【請求項１】
グリップ部の上方に体毛を切断又は引き抜いて処理する体毛処理部を備えた体毛処理装置において、
体毛処理部上に、プラス電圧が印加されるプラス電極部とマイナス電圧が印加されるマイナス電極部を設けたことを特徴とする体毛処理装置。
【請求項２】
プラス電極部とマイナス電極部とを互いに近接して設けたことを特徴とする請求項１に記載の体毛処理装置。
【請求項３】
駆動可能な内刃と、内刃に外接する外刃とを有する体毛処理装置において、
外刃または外刃を保持する部材を一方の電極部とし、外刃または外刃を保持する部材の周辺に対極となる電極部を設けて、両電極の皮膚への同時当接を可能にしたことを特徴とする請求項１または２に記載の体毛処理装置。
【請求項４】
上記外刃の周辺に長毛カット刃を設け、この長毛カット刃を対極となる電極部としたことを特徴とする請求項３に記載の体毛処理装置。
【請求項５】
上記外刃の周辺に外刃長手方向の軸と略同一軸の棒状体を設け、この棒状体を対極となる電極部としたことを特徴とする請求項３に記載の体毛処理装置。
【請求項６】
上記外刃の周辺に上記体毛処理部から上方に向けて突出する突出体を設け、この突出体を対極となる電極部としたことを特徴とする請求項３に記載の体毛処理装置。
【請求項７】
上記内刃と外刃との組が体毛処理部の前後に配置され、当該前後の内刃と外刃との組の間に長毛カット刃または棒状体または突出体を配置し、上記外刃または外刃を保持する部材を一方の電極部とし、上記長毛カット刃または棒状体または突出体を対極となる電極部とし、両電極の皮膚への同時当接を可能にしたことを特徴とする請求項１乃至６の何れかに記載の体毛処理装置。
【発明の詳細な説明】
【技術分野】
【０００１】
本発明は、体毛を処理する体毛処理装置に関し、特に、皮膚又は毛に電圧印加を行う体毛処理装置に関する
【背景技術】
【０００２】
背景技術となる体毛処理装置としては、特開２００６−２２３５３５号公報に開示されるものがある。この体毛処理装置は、外刃を電極部として、シェービング時に毛穴の汚れを取り除くことができるものである。
【特許文献１】特開２００６−２２３５３５号公報
【発明の開示】
【発明が解決しようとする課題】
【０００３】
前記背景技術となる体毛処理装置においては、一方の電極を体毛処理部に配設し、対極となる他方の電極を本体ケースの手持ち部に配設しているため、電気的ロスが生じやすい。手持ち部を握る手が電極に接触しない虞れがあり、その場合、皮膚に微弱電流を供給できない。
【０００４】
本発明は前記課題を解決するものであり、シェービング時に一対の電極を確実に皮膚に接触させることができる体毛処理装置を提供することを目的とする。
【課題を解決するための手段】
【０００５】
本発明に係る体毛処理装置は、グリップ部の上方に体毛を切断又は引き抜いて処理する体毛処理部を備えた体毛処理装置において、体毛処理部上に、プラス電圧が印加されるプラス電極部とマイナス電圧が印加されるマイナス電極部を設けているので、例えばプラス電極部で皮膚上の汚れをプラスに帯電させたうえで、マイナス電極部でそのプラスに帯電した汚れを回収できる。マイナス電極部がプラス電極部より移動方向前方にあれば、その逆となる。これにより効果的に毛穴の汚れを取り除くことができ清潔な皮膚とすることができる。例えば毛穴の菌の繁殖を抑制できるため吹き出物ができ難くなる。また、体毛処理の対象となる皮膚に直接触れる体毛処理部上にプラス電極部とマイナス電極部が設けられることにより、確実に皮膚に微弱電流を供給することが可能となるとともに低電圧または低電流で汚れを取り除くことができ、機器の低消費電力化が可能となる。電源として電池を使用している場合、使用回数を増やすことができる。体毛処理の対象となる皮膚にプラス電極部とマイナス電極部を同時に接触させ通電できるため、起毛筋への電気的刺激箇所が広くなり、起毛効果が向上する。つまり、起毛後の体毛処理が効果的に行える。体毛処理装置の具体例として、電気かみそり、脱毛器がある。
【０００６】
また、本発明に係る体毛処理装置は、上記プラス電極部とマイナス電極部とを互いに近接して設けたことにより、より一層の低消費電力化が可能となる。
【０００７】
また、本発明に係る体毛処理装置は、駆動可能な内刃と、内刃に外接する外刃とを有する体毛処理装置において、外刃または外刃を保持する部材をマイナス電極部またはプラス電極部の何れか一方とし、外刃と略同一レベルに位置する外刃周辺にその対極となる電極部（外刃または外刃を保持する部材がマイナス電極部であればプラス電極部、外刃または外刃を保持する部材がプラス電極部であればマイナス電極部）を設けたことにより、皮膚に、より確実に微弱電流を供給することが可能となる。外刃または外刃を保持する部材を電極部としているので、別途、電極部材を設けずに済み、コスト的に有利である。外刃または外刃を保持する部材は、ひげ剃り時に確実に肌に触れる部位であるため、皮膚に、より確実に微弱電流を供給することが可能となるものである。特に外刃を電極部とした場合は、広い面積が電極部となるため、クレンジング効果、電気的刺激効果が高まり、早剃りの効果も向上する。なお、プラス電極部では、金属イオンが溶出するため不動態金属で形成する方が好ましい。不動態金属は一般的にイオン化傾向の小さい金属、例えば金やプラチナであるが、例外としてチタンなどがある。これら金属でプラス電極部のすべてを構成した場合、高価な金属であるためコスト的に負担が大きい。そのため、鉄やステンレスの表面に、メッキ、スパッタリング、蒸着などの方法により金、プラチナ、チタンなどの不動態金属の被膜を形成した電極部とする方が好ましい。これにより、金属イオンが溶出し難くなり、使用者が金属アレルギーによる皮膚炎を起こすのを防止できる。
【０００８】
また、上記外刃の周辺に長毛カット刃を設け、この長毛カット刃を対極となる電極部としたことにより、別途電極用の電極部材を設けずに済み、コスト的に有利である。長毛カット刃は、櫛型または鋸型または小刃とスリットを交互に形成したスリット型の固定外刃に、同じく櫛型または鋸型または小刃とスリットを交互に形成したスリット型の可動内刃を摺接させて成るものであり、長毛やくせ毛を主に切断でき、短毛を主に切断する外刃・内刃と協同して毛のシェービングを行うものである。
【０００９】
上記外刃の周辺に外刃長手方向の軸と略同一軸の棒状体を設け、この棒状体を対極となる電極部としたことにより、棒状体による起毛効果を得ることができる。棒状体による起毛後、外刃・内刃により毛を切断できるため、早剃りが可能となる。
【実施例１】
【００１０】
上記外刃の周辺に上記体毛処理部から上方に向けて突出する突出体を設け、この突出体を対極となる電極部としたことにより、皮膚に対する引っ張り作用が得られ、起毛効果がさらに向上し、外刃・内刃による早剃りが可能となる。
【００１１】
上記内刃と外刃との組が体毛処理部の前後に配置され、当該前後の内刃と外刃との組の間に長毛カット刃または棒状体または突出体を配置し、上記外刃または外刃を保持する部材をマイナス電極部またはプラス電極部の何れか一方とし、上記長毛カット刃または棒状体または突出体をその対極となる電極部（外刃または外刃を保持する部材がマイナス電極部であればプラス電極部、外刃または外刃を保持する部材がプラス電極部であればマイナス電極部）としたことにより、前後の外刃と内刃との組の間のデットスペースに配置される部材を利用して電極部を構成できるので、コンパクトな体毛処理部を構成できる。例えば前後両方の外刃をマイナス電極部とし長毛カット刃または棒状体または突出体をその対極となる電極部、すなわちプラス電極部とすれば、皮膚とプラス・マイナスの一対の電極部との接触時間、つまり皮膚への通電時間が長くなり効果的に起毛が行える。なお、外刃をプラス電極部とし、長毛カット刃または棒状体または突出体をマイナス電極部とした場合、外刃から金属イオンが溶出することになるが、これを防止するため、外刃表面に金やチタンで被覆する必要がある。外刃表面は、長毛カット刃または棒状体または突出体に比べ表面積が大きいため、不動態金属でその表面を被覆した場合、コスト的に不利となる。そこで、外刃または外刃を保持する部材をマイナス電極部とし、長毛カット刃（長毛カット刃を構成する固定された外刃）または棒状体または突出体をプラス電極部とし、この表面を不動態金属で被覆する方が好ましい。
【発明を実施するための最良の形態】
【００１２】
本発明に係る体毛処理装置を図１ないし図７に示すロータリー式電気かみそりを例にとって説明する。図１は正面図であり、図２は側面図である。図３は上部構造説明図、図４は各構成要素の分解説明図、図５はパルス波形図であり、図６は全体模式図である。図７は極性を交互に切り換えたパルス波形図である。 
【００１３】
前記各図において本実施形態に係る電気かみそりは、横軸まわりに回転駆動可能な内刃２０，２２と、この内刃２０、２２に外接する外刃２１、２３とを有するロータリー式の電気かみそりであって、前記内刃２０、２２と外刃２１、２３との組がかみそりヘッド２の前後に配置され、この前後に配置された外刃２１、２３が電極部となっている構成である。
【００１４】
この電気かみそりの主な構成としては、各種操作スイッチが正面に配設されたグリップ部兼用の本体ケース１と、この本体ケース１の上部に配設されたかみそりヘッド（体毛処理部）２と、本体ケース１の内部に配設され、モータ２４に制御部３８を介して電流供給を行う電源部としての充電電池３９等を有する電装ユニット３とがある。
【００１５】
本体ケース１は、上部拡幅の筒形状であって、前記したように各種操作スイッチ、表示灯を正面（前面）に有し、これら操作スイッチ等の背後のケース内にワンチップマイコン等からなる制御部３８を実装した制御回路基板（図示せず）が配設されている構成である。操作スイッチとしては、電源のオン／オフを行う電源スイッチ４と、複数ある駆動モードを変更するセレクトボタン５と、前記電源スイッチ５がロックされるロックつまみ６とがある。また、表示灯としては、駆動モードの状態を示すモードインジケーター７と、ひげセンサーの作動を示すセンサーランプ８と、前記充電電池３９の容量を段階的に示す残量表示ランプ９と、充電中か充電完了かを示す充電完了ランプ１０とがある。本体ケース１の左右側面には、エラストマー樹脂やゴムからなる滑り止め体３０が設けられている。また、本体ケース１の背面（後面）に、使用者が上下にスライド可能なキワゾリつまみ１１と、当該つまみ１１の上部にキワゾリ刃１２とを有している。キワゾリ刃１２は、キワゾリ用固定刃１２ａとキワゾリ用可動刃１２ｂとからなり、キワゾリつまみ１１の上部にキワゾリつまみ１１とは独立して構成されたキワゾリ刃支持部５１に取り付けられている。具体的には、キワゾリ刃支持部５１の下面にキワゾリ用固定刃１２ａを固定し、その下側からキワゾリ用可動刃１２ｂを往復動可能な状態で合わせて、さらにその下から弾性片を有する金属片をキワゾリ刃支持部５１に固定することによりキワゾリ用可動刃１２ｂをキワゾリ用固定刃１２ａに押し付けられた状態、すなわち両者が摺接状態となってユニット化されてなるものである。キワゾリ用固定刃１２ａはステンレスなどの金属製の板材の縁を鋸状に形成してなり、キワゾリ用可動刃１２ｂは同じようにステンレスなどの金属製の板材の縁を鋸状に形成してなる。つまりキワゾリ刃１２は長毛やくせ毛を切断可能な長毛カット刃であり、主にもみ上げなどを整える際に利用する。後述するように短毛カット刃とのコンビ剃りの際は、もみ上げ剃りに利用せず単なる長毛カット刃としてのみ利用する。キワゾリ刃支持部５１はキワゾリつまみ１１に対して上下動自在となるようにコイルばね等の弾性材により弾性付勢されている。キワゾリ刃支持部５１とキワゾリつまみ１１は上下動を行わないよう一体で構成されるものであってもよい。キワゾリ刃１２は、外刃２１、２３の長手方向の軸と同じ方向、すなわち左右方向に長く、しかも外刃２１、２３と同程度の長さを有する。
【００１６】
かみそりヘッド２は、前後に配設された２組の外刃（前外刃２１、後外刃２３）及び当該外刃に内接する内刃（前内刃２０、後内刃２２）から成る短毛カット刃と、この内刃２０、２２に駆動用回転の動力供給源となるモータ２４と、かみそりヘッド２の構成要素が配設されたヘッドフレーム２５とからなる。このヘッドフレーム２５の上部に内刃２０、２２が支持され、下部にハウジングされたモータ２４が配設されている。モータ２４は本体ケース１内に配設されるものであってもよい。また、ヘッドフレーム２５は、外刃２１、２３が保形配設される外刃ホルダー２６を脱着可能としている。前外刃２１、後外刃２３の長手方向の軸は何れも左右方向としている。これはひげ剃り方向が主に前後方向であるため、外刃２１、２３を左右方向に長くとり、ひげ剃り領域巾をかせぐためである。外刃ホルダー２６は、前後に配設された２組の外刃２１、２３および長毛カット刃であるセンター刃２７を保持する樹脂製の内ケース２６ａと、内ケース２６ａを保持する同じく樹脂製の外ケース２６ｂとに分けて構成する。内外両ケースに分けた理由は、２組の外刃２１、２３およびセンター刃２７の洗浄を行い易くするためである。また２組の外刃２１、２３およびセンター刃２７の交換時に外刃ホルダー全体を交換しないで済むようカセット化したものである。内ケース２６ａと外ケース２６ｂは分ける必要はなく一体で成形され、２組の外刃２１、２３が当該ケースに直接装着されるものであってもよい。以上のとおり本実施形態において外刃を保持する部材は外刃ホルダー２６である。外刃ホルダー２６には、前外刃２１と後外刃２３との間に、外刃２１、２３の長手方向の軸と同じ方向、すなわち左右方向に長いセンター刃２７が配設されている。このセンター刃２７は、固定外刃２９と、当該外刃２９に内接し往復動可能な可動内刃２８とがユニット化されており、外刃ホルダー２６に対して上下動自在に配設されている。センター刃２７の使用用途とは、主に長毛やくせ毛の切断であり、そのため固定外刃２９は、ステンレスなどの金属製の板材をエッチング法により多数のスリットを形成し、その後に塑性変形させて樋体状に形成したものである。つまり、小刃とスリットを交互に形成したスリット型の固定外刃である。可動内刃２８は、固定外刃２９と同じ方法により形成しており、小刃とスリットを交互に形成したスリット型の可動内刃である。スリットの長手方向は、電気かみそり本体の前後方向、つまりひげ剃り方向と一致させており、長毛をスリット内に導入し易くしている。センター刃２７は、上記スリット型の内外刃の他に、例えば左右に長い機軸から前後方向に細い板材を多数突出して成る櫛型の固定外刃２９に、左右に長い機軸から前後方向に細い板材を多数突出して成る櫛型の可動内刃２８を摺接させたセンター刃２７であってもよいし、左右に長い板材の前後端部を鋸状に形成して成る鋸型の固定外刃２９に、左右に長い板材の前後端部を鋸状に形成して成る鋸型の可動内刃２８を摺接させたセンター刃２７であってもよい。また、上記した各種類の固定外刃２９と各種類の可動内刃２８は自由に組み合わせることができる。要は外刃２１、２３に比べて長毛、くせ毛の捕毛性が良ければよい。本実施形態におけるセンター刃２７の上端は、前外刃２１の頂部と後外刃２３の頂部を結ぶ仮想線上の位置から１ｍｍ程度下方に下がった位置にあるが、外刃２１、２３の頂部を結ぶ仮想線上にあってもよいし、仮想線から数ｍｍ程度上方に上がった位置にあってもよい。いずれにしてもセンター刃２７は外刃２１、２３の周辺の略同一レベル（高さ）に位置しており、且つ外刃２１または外刃２３の頂部からセンター刃２７の上端を結ぶ線における距離が１ｃｍ以内の近接した位置にある。センター刃２７の左右方向の長さは外刃２１、２３と同程度である。
【００１７】
内刃２０、２２は、円柱状の高比重樹脂に複数の金属製の小刃を円柱面に沿ってスパイラル状に形成してなるものである。内刃の長手方向の中央部分には金属製の回転軸が形成され、両端には内刃ギアが配設されている。前内刃の内刃ギアと後内刃の内刃ギアが掛合している終端ギアと同軸に配設されている従動プーリーが無端ベルトを介して原動プーリーから回転を受け、内刃ギアが回転して内刃が横軸まわりに回転する。原動プーリーは、モータ２４の出力軸から直接回転を受けるのではなく、複数のギアからなる減速伝動機構を介して回転を受ける。また、モータ２４の出力軸の回転を、往復運動変換機構により左右の往復運動に変え、係る往復運動により前記センター刃２７の可動内刃２８及びキワゾリ刃１２の可動刃１２ｂを左右方向に往復駆動している。可動内刃２８は内刃２０、２２が回転しているとき常時往復駆動するが、可動刃１２ｂは、図２に示すようにキワゾリ刃１２が下方にある収納位置では、往復動変換機構とは連結しておらず、内刃２０、２２が回転しているときであっても往復駆動しない。キワゾリつまみ１１を指で押し上げ、つまみ１１全体を上方にスライド移動してキワゾリ刃１２が前外刃２１の頂部と後外刃２３の頂部を結ぶ仮想線の延長線（接線の延長線）と略一致するところ（図６参照）までくると節度手段によって固定され、これと同時かそれよりも少し前でキワゾリ刃１２の可動刃１２ｂが往復動変換機構と連結し、固定された状態で往復駆動することになる。キワゾリ刃１２が、図６で示す位置にある場合は、外刃２１、２３の頂部とキワゾリ刃１２の刃先が、上下方向において略同一レベル（高さ）位置（水平位置関係）にあり、外刃２１、２３の頂部とキワゾリ刃１２の刃先とが、かみそりヘッド（体毛処理部）２を体毛処理の対象となる皮膚、例えば頬に押し付けたとき、同時に当接させることができる。これにより外刃２１、２３とキワゾリ刃１２によるコンビ剃りが可能となる。キワゾリつまみ１１は節度手段によって固定されているが、キワゾリ刃支持部５１は、キワゾリつまみ１１に対して、数ｍｍ程度上下動自在となるように押し上げ付勢された状態で支持されているため、コンビ剃りの際、キワゾリ刃１２を皮膚の凹凸に追随させることができ、皮膚の痛みを緩和することができる。もちろんキワゾリ刃１２は、キワゾリつまみ１１に対して固定されていてもよい。さらに、ふたたびキワゾリつまみ１１を指で押し上げ、つまみ１１全体を上方にスライド移動すればキワゾリ刃１２の刃先が外刃２１、２３の頂部を結ぶ仮想線の延長線からさらに上方に離れた位置に移動し、ふたたびキワゾリつまみ１１が節度手段により固定される。この状態は、キワゾリ刃１２の単独使用を行うために設けられたものである。体毛処理の対象となる皮膚に対して外刃２１、２３とキワゾリ刃１２とが同時当接可能であればキワゾリ刃１２の仮想線の延長線から数ｍｍ程度上方位置または下方位置にあっても良い。キワゾリ刃１２の刃先と外刃２３の頂部とを結ぶ線の距離は１ｃｍ以上あって近接はしていないが、キワゾリ刃１２と外刃２３は皮膚に同時当接は可能である。
【００１８】
外刃２１、２３は、多数の貫通孔により網刃が形成された、ニッケル、ニッケルーコバルト合金、ステンレスなどの金属製のシート材からなり、導電性を有する。本実施形態では、この導電性の外刃２１、２３をマイナス電極部とし、この外刃２１、２３の周辺に位置し、何れも長毛カット刃となるセンター刃２７とキワゾリ刃１２をプラス電極部としている。通電を行うと、センター刃２７及びキワゾリ刃１２から人体を介して外刃２１、２３へ向かって電流が流れる。このため、別途、電極部材を設けずに済み、コスト的に有利である。外刃２１、２３をプラス電極部とし、センター刃２７とキワゾリ刃１２をマイナス電極部としてもよい。
【００１９】
外刃２１、２３やセンター刃２７とキワゾリ刃１２への電流供給はモータ２４と同様に制御部３８から行われる。この電流供給のラインは、図６に示すように、制御部３８から引き出されたプラスリード５２とマイナスリード５３の２本のリード線となる。マイナスリード５３は途中で２本に分岐し、ヘッドフレーム２５上の内刃支持部３１の前後に配設された本体側プラス金属片３２ａ、３２ｂにそれぞれ接続され、この両金属片３２ａ、３２ｂが外刃ホルダー２６の内ケース２６ａに配設され、外刃２１、２３と直接当接している外刃側金属片３３ａ、３３ｂと外刃ホルダー２６の本体ケース１（ヘッドフレーム２５）への装着時に接続するよう構成されている。一方、プラスリード５２も途中で２本に分岐しており、図６に示すように１つがセンター刃２７と接続され、もう１つがキワゾリ刃１２と接続されている。センター刃２７に接続されているプラスリード５２は、詳しくは、図３に示すように、ヘッドフレーム２５の上部に配設された本体側金属片５４と接続され、この金属片５４が外刃ホルダー２６の内ケース２６ａに配設され、センター刃２７の固定外刃２９と直接当接しているセンター刃側金属片５５と外刃ホルダー２６の本体ケース１（ヘッドフレーム２５）への装着時に接続するよう構成されている。このようにリード線と金属片との構成にしたのは、外刃ホルダー２６が本体ケース１から脱着可能であり、外刃ホルダー２６装着時に導電可能である構成とすべきだからである。すなわち、全てリード線で構成した場合には、脱着が不可能となるか、脱着が困難となる。また、分岐したもう１つのプラスリード５２は、キワゾリ用固定刃１２ａの縁に直接、ハンダ付けまたはカシメにより接続される。このようにキワゾリ刃１２においては、金属片を利用していない。これはキワゾリ刃１２が上下にスライド移動するだけで、脱着されるものではないためである。ただ、キワゾリ刃１２がスライド移動するため、リード線の長さはキワゾリ刃１２が移動できるようある程度の余裕は持たせてある。
【００２０】
制御基板に実装されている制御部３８は、各種入力スイッチからの入力を受け、モータ２４、表示ランプ、プラス電極部としてのセンター刃２７やキワゾリ刃１２、マイナス電極部としての外刃２１、２３への電流供給を制御する。制御部３８は、充電電池３９の前面に位置し、制御電流の供給源として充電電池３９から電流供給を受ける。制御部３８は、電源スイッチ４がＯＮしているとき、すなわちモータ２４が駆動しているときに、使用者のセレクトボタン５の押下によってモータ２４の制御を変え、オートモード、パワフルモード、ターボモードの３つのモードを実現している。オートモードは、ひげの量に応じてモータの回転数を変えるモードであり、高回転数のパワフル状態と、低回転数のマイルド状態とをひげの量に応じて切り替えている。前記パワフルモードは、パワフル状態を固定して維持して動作するモードである。前記ターボモードは、パワフル状態時の回転するより高い回転数で動作するモードである。制御回路は現在どのモードにあるかを記録し、次回起動時には前回終了時のモードから開始される。前記セレクトボタン５の押下の度に、オートモード、パワフルモード、ターボモードと繰り返し変移する。
【００２１】
前記各モードの表示ランプの表示形態は、オートモードにおいてはパワフル状態時にモードインジケーター７が濃い青色に点灯し、マイルド状態時にモードインジケーター７が淡い青色に点灯し、どちらの状態であってもセンサーランプ８が点灯する。パワフルモードにおいては、センサーランプ８は消灯し、モードインジケーター７が濃い青色に点灯する。ターボモードにおいては、同様にセンサーランプ８は消灯し、モードインジケーター７がオレンジ色に点灯する。
【００２２】
電源スイッチ４を一回押すとその背後にあるタクトスイッチが押されて駆動開始の信号が制御部３８に送出される。この開始信号により制御部３８はモータ２４に電流を供給しモータ２４を駆動させる（電源スイッチのＯＮ状態）。また、制御部３８は、モータ２４の駆動と同時に、プラス電極部となっているセンター刃２７、キワゾリ刃１２と、マイナス電極部となっている外刃２１、２３に電圧を印加する。このときの印加電圧は５Ｖで、流す電流は０．２ｍＡである。
【００２３】
この電圧の印加の仕方は、連続で印加したものでもよいし、パルス状に印加したものであってもよい。本実施形態ではセンター刃２７、キワゾリ刃１２に、図５に示すようなパルス状のプラス電圧を印加している。
【００２４】
次に、本実施形態に係る電気かみそりの動作について説明する。電源スイッチ４をONにすることで、制御部３８は記録している前回終了時のモードを読み出し、モータ２４を回転駆動させる。モータ２４が回転することで、モータ２４の出力軸が回転し、減速伝動機構を介して原動プーリーが回転し、無端ベルトを介して従動プーリーが回転し、この従動プーリーの同軸の終端ギアが回転し、終端ギアの回転を受け掛合している内刃ギアが回転し、内刃２０、２２が横軸まわりに回転する。上述したように、モータ２４の出力軸の回転を、往復動変換機構を介して往復運動に変え、かかる往復運動により前記センター刃２７を駆動している。この内刃２０、２２の回転中に、キワゾリつまみ１１を使用者が押し上げた場合には、センター刃２７への往復運動がキワゾリ刃１２に伝動し駆動させることができる。
【００２５】
このように電源スイッチのＯＮ状態、すなわちモータ２４が回転して、内刃２０、２２が駆動している状態で、プラス電極部となっているセンター刃２７、キワゾリ刃１２と、マイナス電極部となっている外刃２１、２３に電圧を印加する。このまま、体毛処理（ひげ剃り処理）の対象となる、頬、顎などの局所に体毛処理部であるかみそりヘッド２を押し当てることにより、自然に、プラス電極部とマイナス電極部が皮膚に同時に当接して、ひげ剃りを行いながら、汚れを回収できる。具体的には、キワゾリ刃１２が押し上げられていない状態のときは、後側から順に外刃２３、センター刃２７、外刃２１と配列しているため、後側方向にかみそりヘッド２が移動されると、マイナス電極部となる外刃２３で、先ず汚れをマイナスに帯電し、次にその箇所に移動してくる、プラス電極部となるセンター刃２７によってそのマイナスに帯電した汚れを電気的に引き寄せ、固定外刃２９のスリットを介して、往復駆動される可動内刃２８によって固定外刃２９の内方に回収する。このとき、一部の汚れはセンター刃２７によってプラスに帯電する。そして、次にその箇所に移動してくる、マイナス電極部となる外刃２１によってプラスに帯電した汚れを電気的に引き寄せ、外刃２１の貫通孔を介して、その内部で回転駆動する内刃２０によって外刃２１の内方に回収する。かみそりヘッド２を後側方向とは逆に前側方向に移動した場合は、上記と逆の作用となる。最終的に、センター刃２７によってプラスに帯電した汚れを、マイナス電極部となる外刃２３によって電気的に引き寄せ、外刃２３の貫通孔を介して、その内部で回転駆動する内刃２２によって回収する。この電気かみそりでは、以上のような汚れ回収動作と並行して通常のひげ剃りが行われるものであるが、皮膚への通電を利用して効果的に毛穴の汚れを取り除くことができ清潔な皮膚とすることができるため、例えば毛穴の菌の繁殖を抑制でき、吹き出物ができ難くなる。このためひげ剃り時の痛みの予防にもなる。また、体毛処理（ひげ剃り処理）の対象となる皮膚にプラス電極部とマイナス電極部を同時に接触させ通電できるため、起毛筋への電気的刺激箇所が広くなり、起毛効果が向上する。つまり、起毛後のひげ剃りが効果的に行える。起毛筋へ通電を行うことにより、ひげが起き上がり、そこをすかさず短毛カット刃や長毛カット刃によりせん断（切断）できるため、深剃りや早剃りが可能となる。また、皮膚に通電することにより、制菌効果があり、より一層菌の繁殖を抑制できる。また、イオン導入器と比べ、電気かみそりは患部との接触時間が短いが、少なくとも１つのプラス電極部とマイナス電極部となる２つの前外刃２１、後外刃２３を構成することで短い通電時間を補うことができる。
【００２６】
一方、キワゾリ刃１２が押し上げられ、外刃２３の周辺の、外刃２３と略同一レベル位置にキワゾリ刃１２がある場合は、後側から順にキワゾリ刃１２、外刃２３、センター刃２７、外刃２１と配列しているため、皮膚に押し当てた状態で後側方向にかみそりヘッド２を移動すれば、先ずプラス電極部となるキワゾリ刃１２で、長毛をせん断（切断）しながら皮膚の汚れをプラスに帯電させることができる。次にその箇所に移動してくる、マイナス電極部となる外刃２３でプラスに帯電した汚れを引き寄せ、外刃２３の貫通孔を介して内刃２２により汚れをかき取り外刃２３の内方に回収する。これと同時に短毛はせん断（切断）され、汚れと同様に外刃２３の内方に回収する。このとき一部の汚れはマイナスに帯電しており、次にその箇所に移動してくる、プラス電極部となるセンター刃２７によってそのマイナスに帯電した汚れを電気的に引き寄せ、固定外刃２９のスリットを介して、往復駆動される可動内刃２８によってかき取り固定外刃２９の内方に回収する。これと同時にキワゾリ刃１２にせん断（切断）されなかった残った長毛がせん断（切断）され、汚れと同様に固定外刃２９の内方に回収する。このとき、一部の汚れはセンター刃２７によってプラスに帯電する。次にその箇所に移動してくる、マイナス電極部となる外刃２１によってプラスに帯電した汚れを電気的に引き寄せ、外刃２１の貫通孔を介して、その内部で回転駆動する内刃２０によってかき取り外刃２１の内方に回収する。これと同時に短毛はせん断（切断）され、汚れと同様に外刃２１の内方に回収する。かみそりヘッド２を後側方向とは逆に前側方向に移動した場合は、上記と逆の作用となる。このように、ひげ剃り方向（前後方向）にかみそりヘッド２を移動した際、左右方向に長いプラス電極であるセンター刃２７、キワゾリ刃１２により広範囲にプラス電圧を印加することができ、また、左右方向に長いマイナス電極である外刃２１、２３により広範囲にマイナス電圧を印加することが可能となる。
【００２７】
なお、本実施形態に係る電気かみそりは、外刃２１、２３には、リード線や金属片を使用して電圧を印加させたが、内刃２０、２２を介して、外刃２１、２３に電圧を印加することもできる。つまり内刃２０、２２を電流供給部材として機能させる。具体的には、本体側プラス金属片３２ａ、３２ｂ及び外刃側金属片３３ａ、３３ｂを形成することなく、例えば、内刃２０、２２の回転軸の端部を弾性金属片で受けて、この弾性金属片と制御部３８から引き出されたリード線と接続することで実現することができる。或いは、回転軸を回転自在に受ける金属製の軸受けと先のリード線を接続することでも実現できる。ロータリー式電気かみそりの内刃は、金属製の回転軸と金属製のスパイラル状の小刃を樹脂にインサート成形して構成されており、また回転軸の側面と小刃の下端が接触しているので、内刃２０、２２の小刃を介して、外刃に電流を供給することができる。
【００２８】
また、本実施形態に係る電気かみそりは、前外刃２１、後外刃２３の両方にマイナス電圧を印加したが、いずれか一方のみに電圧を印加した構成であってもよい。また、センター刃２７、キワゾリ刃１２の両方にプラス電圧を印加したが、いずれか一方のみに電圧を印加した構成であってもよい。
【００２９】
また、本実施形態に係る電気かみそりは、前外刃２１及び／または後外刃２３をマイナス電極部として利用しているが、外刃２１、２３を電極部とせずに、前外刃２１及び後外刃２３を保持する外刃ホルダー２６、つまり、内ケース２６ａ及び／または外ケース２６ｂの、少なくとも上表面（ひげ剃り対象の皮膚と当接する表面）にマイナス電極部を形成したものであってもよい。マイナス電極部の形成の仕方としては、例えば、内ケース２６ａ及び／または外ケース２６ｂ自体をチタンで構成し、制御部３８から延出されるリード線とこの内ケース２６ａ及び／または外ケース２６ｂと接続するやり方や、コストの面を考慮して、内ケース２６ａ及び／または外ケース２６ｂの少なくとも上表面に金、プラチナ、チタンなどの不動態金属をメッキ、蒸着等により被覆し、制御部３８から延出されるリード線とこの被覆部分とを接続するやり方などがある。また、内ケース２６ａ及び／または外ケース２６ｂをマイナス電極部として利用する場合は、両ケース２６ａ、２６ｂの成形時に、前外刃２１の頂部と後外刃２３の頂部を結ぶ仮想線の延長線まで延出するリブを一体成形し、このリブに上記した金、プラチナ、チタンなどの不動態金属を被覆する方が、皮膚に通電しやすく好ましい。リブは、外刃ホルダー２６の上面の前側又は後側、或いは前後両方であって、外刃２１、２３の長手方向（左右方向）に長く形成されている。リブは、外刃ホルダー２６の前後からさらに延長して外刃ホルダー２６の上面の左右にもリブをまわして、外刃２１、２３を取り囲むように無端枠状に形成してもよい。リブは連続的に形成する必要はなく断続的に形成されてあってもよい。これらリブは後述する棒状体６１の概念に含まれるものである。
【００３０】
また、本実施形態に係る電気かみそりは、リード線及び金属片により外刃２１、２３及びセンター刃２７への電圧印加を可能としたが、導通可能であれば他の構成を適用することもでき、例えば、リード線とプラグ及びジャックによる構成にすることもできる。詳細には、外刃ホルダー２６にプラグを形成し、ヘッドフレーム２５にジャックを形成し、このジャックにリード線を接続することにより、外刃ホルダー２６の本体ケース１への装着状態でプラグがジャックに挿設された状態となって導通可能となる。
【００３１】
また、本実施形態に係る電気かみそりは、バイブレータを備えることもでき、バイブレータの振動によりプラス電極部やマイナス電極部でのクレンジング等の効果を著しく高めることができる。ここで、別途偏心させたおもりを回転させることにより振動を発生させることができるバイブレータを適用することもできるが、内刃２０、２２の回転をモータの駆動、停止を繰り返して実現することもでき、別途の構成を設けることなく、実現することもできる。また、通常電気かみそりは振動しており、このような通常の振動であっても、クレンジング等の効果を高めることができる。すなわち、このような電気かみそりに電圧印加の構成を適用することは、それだけで一定の効果を有することとなる。また、電気かみそりの構成の中には、振動（音も含まれる）を抑制する構造を採用しているが、このような構造を適用しないことにより、振動を大きくすることができ、クレンジング等の効果を高めることもできる。また、超音波発生素子を外刃２１、２３や内刃２０、２２、固定外刃２９、可動内刃２８、キワゾリ用固定刃１２ａ、キワゾリ用可動刃１２ｂに接続して、これらから超音波振動を発生させるよう構成してもよい。これにより、ひげ剃り効果も向上し、クレンジング効果も高めることができる。
【００３２】
また、本実施形態に係る電気かみそりは、外刃２１、２３の全面のうち、一部を導通可能とし、他の部分を導通不可とする構成にすることもでき、導通可能な部分に集中的に電圧印加を行わせることもでき、さらに、消費電力の観点からも望ましい。
【００３３】
また、本実施形態に係る電気かみそりは、外刃の貫通孔の形状については説明していないが、前外刃２１の孔に比べ後外刃２３の孔を小さく形成することもでき、後外刃２３は電圧印加の接触面積が広くなり円滑にクレンジングを実行することができる共に、前外刃２１はクレンジング後の皮膚に対して大きな孔でひげを確実に捕え切断することができる。
【００３４】
また、本実施形態に係る電気かみそりは、かみそりヘッド２が首振りしない構成としたが、本体側プラス金属片３２ａ、３２ｂやセンター刃側金属片５５に接続するリード線に余裕を持たせて長く構成することで、首振りする構成にすることもできる。
【００３５】
また、本実施形態に係る電気かみそりは、かみそりヘッド２が首振りしない構成としたが、首振り構成とし、首振りをロックした場合にだけ、すなわち、かみそりヘッド２が直立し傾動していない場合だけ、かみそりヘッド２とかみそりヘッド２下の本体ケース１の上部とに配設された金属片が接続状態になるようにし、電圧を印加する構成にすることもできる。
【００３６】
また、本実施形態に係る電気かみそりは、モータ２４の駆動と外刃２１、２３、センター刃２７、キワゾリ刃１２への電圧印加を同時に行う構成としたが、独立したスイッチを設けて、モータ２４の駆動と外刃２１、２３、センター刃２７、キワゾリ刃１２への電圧印加を独立して駆動するものとしてもよい。
【００３７】
また、本実施形態に係る電気かみそりが水洗い可能であり、水洗い時にモータ２４を駆動させて洗浄する場合にあっては、外刃２１、２３、センター刃２７、キワゾリ刃１２に電圧を印加することができないように安全装置を設け、水の接触による外刃２１、２３、センター刃２７、キワゾリ刃１２における過電流の発生を防止できるようにすることができる。
【００３８】
また、本実施形態に係る電気かみそりは前内刃２０、前外刃２１、センター刃２７、後内刃２２及び後外刃２３の３枚刃の構成となっているが、１つの内刃及び外刃からなる所謂一枚刃の電気かみそりであっても、かかる一枚刃の外刃を電極部とした構成にすることもできる。その場合でも対極となる電極を外刃周辺に設ける必要があるが、それはキワゾリ刃１２でもよいし、後述する棒状体、突出体であってもよい。或いは外刃ホルダーを対極となる電極部としてもよい。
【００３９】
以上のとおり、駆動可能な内刃２０、２２と、内刃２０、２２に外接する外刃２１、２３とを有する電気かみそりにおいて、外刃２１、２３または外刃２１、２３を保持する部材をマイナス電極部またはプラス電極部の何れか一方とし、外刃と略同一レベルに位置する外刃周辺にその対極となる電極部（外刃または外刃を保持する部材がマイナス電極部であればプラス電極部、外刃または外刃を保持する部材がプラス電極部であればマイナス電極部）を設けたことにより、皮膚に、より確実に微弱電流を供給することが可能となる。外刃２１、２３または外刃２１、２３を保持する部材を電極部としているので、別途、電極部材を設けずに済み、コスト的に有利である。外刃２１、２３または外刃２１、２３を保持する部材は、ひげ剃り時に確実に肌に触れる部位であるため、皮膚に、より確実に微弱電流を供給することが可能となるものである。特に外刃を電極部とした場合は、広い面積が電極部となるため、クレンジング効果、電気的刺激効果が高まり、早剃りの効果も向上する。なお、プラス電極部では、金属イオンが溶出（金属腐食）するため不動態金属で形成する方が好ましい。不動態金属は一般的にイオン化傾向の小さい金属、例えば金やプラチナであるが、例外としてチタンなどがある。これら金属でプラス電極部のすべてを構成した場合、高価な金属であるためコスト的に負担が大きい。そのため、鉄やステンレスなどの金属或いは樹脂（プラスチック）、セラミックの表面に、メッキ、スパッタリング、蒸着などの方法により金、プラチナ、チタンなどの不動態金属の被膜を形成した電極部とする方が好ましい。これにより、金属イオンが溶出し難くなり、使用者が金属アレルギーによる皮膚炎を起こすのを防止できる。本実施形態の電気かみそりであれば、プラス電極部となるセンター刃２７、キワゾリ刃１２、厳密にいえば、センター刃２７では皮膚と向き合う側に位置する固定外刃２９の表面を被覆し、キワゾリ刃１２では皮膚と向き合う側に位置するキワゾリ用固定刃１２ａの表面を被覆する。固定外刃２９やキワゾリ用固定刃１２ａをセラミック製の刃とし、この表面に不動態金属を被膜してもよい。この場合、不動態金属の被膜に制御部３８からの電流が供給できるようリード線や金属片を配設しなければならない。また、逆極性に設定した場合は、つまり、外刃２１、２３をプラス電極部とし、センター刃２７、キワゾリ刃１２をマイナス電極部とした場合は、外刃２１、２３の外表面を被覆する必要がある。ただ、外刃２１、２３をプラス電極部とし、長毛カット刃（センター刃２７、キワゾリ刃１２）または後述する棒状体や突出体をマイナス電極部とした場合、外刃２１、２３の表面から金属イオンが溶出することになるが、これを防止するため、外刃２１、２３の表面に金やチタンで被覆する必要がある。外刃２１、２３の表面は、長毛カット刃または棒状体または突出体に比べ表面積が大きいため、不動態金属でその表面を被覆した場合、コスト的に不利となる。また、外刃２１、２３の厚みが０．０５ｍｍ前後で、キワゾリ用固定刃１２ａ、固定外刃２９の厚みは、０、２ｍｍ〜０、３ｍｍで、通常外刃２１、２３よりキワゾリ用固定刃１２ａ、固定外刃２９の方が厚みがある。したがって後者の方が強度が高い。そこで、外刃２１、２３または外刃２１、２３を保持する部材（外刃ホルダー２６）をマイナス電極部とし、表面積が少なく電解腐食による割れの危険性の少ないキワゾリ用固定刃１２ａ（キワゾリ刃１２）、固定外刃２９（センター刃２７）の方をプラス電極部としたうえで、後者側の表面を不動態金属で被覆する方が好ましい。
【００４０】
また、本実施形態に係る電気かみそりは、センター刃２７、キワゾリ刃１２を対極となる電極部とするのではなく、対極となる電極部を外ケース２６ｂとすることもできる。つまり、外刃２１、２３を一方の極性の電極部し、外刃ホルダー２６を対極となる電極部としたものである。互いがショートしないように外刃と外刃ホルダー間に絶縁体を設ければ済むからである。具体的には、上記内ケース２６ａを樹脂などの絶縁体で構成し、それを保持する外ケース２６ｂを真鍮などの金属製とする。そして、ニッケル製の外刃２１、２３と真鍮製の外ケース２６ｂに制御部３８から電流供給ラインを接続し、両者に電圧を印加可能とする。両者の少なくとも皮膚と向き合う面には、上記したように不動態金属で被覆しており、金属イオンが溶出しないよう構成されている。したがって、外刃２１、２３と外ケース２６ｂは交互に極性を切り換えることができる。図７に示すように極性を数秒ごとに交互に切り換えれば、反対の極性に帯電した汚れを外刃２１、２３により引き寄せ、回収できる。また、交互に極性を切り換えることにより微弱電流によって皮膚を電気的にマッサージできる。外刃２１、２３の頂部と外ケース２６ｂ（外刃ホルダー２６）の最上端は上下方向において同一レベル位置にあり、皮膚に同時に接触させて通電が可能となっている。外ケース２６ｂ（外刃ホルダー２６）の左右方向端部が最上端となっており、その部分と外刃２１、２３までの距離は１ｃｍ以内であり、近接しているといえる。つまりこの構成によっても、外刃２１、２３の周辺に対極となる電極部を設けることになり、両電極の皮膚への同時当接を可能としている。前外刃２１、前内刃２０の組と、後外刃２３、後内刃２２の組がそれぞれ独立して上下動自在に支持されていれば、外刃２１、２３は外刃ホルダー２６から大きく突出していてもよい。これは、かみそりヘッド２を皮膚に押し当てた際、外刃２１、２３が沈み込むため、実質的に外刃２１、２３の頂部と外刃ホルダー２６の最上端が上下方向において同一レベル位置となり、プラス・マイナス両電極部の皮膚への同時当接が可能だからである。
【００４１】
また、本実施形態に係る電気かみそりは、かみそりヘッド２の軸が側面視において、本体ケース１の長手方向の軸と同一方向となっており、前後の外刃２１、２３の頂部、センター刃２７の上端が水平方向（本体ケース１の軸に直交する方向）に同じ高さで並ぶよう構成されているが、例えば本体ケース１の長手方向の軸に対して、かみそりヘッド２の軸が傾斜した状態で本体ケース１に取り付けられている実施形態も考えられ、この場合、かみそりヘッド２が本体ケース１に対して前傾姿勢か、後傾姿勢となる。これについては、前後の外刃２１、２３の頂部、センター刃２７の上端が水平方向（本体ケース１の軸に直交する方向）に同一レベル（高さ）で並ぶよう構成されていないことになる。しかし、傾斜したかみそりヘッド２の軸を上下方向にし、これを基準とすれば、前後の外刃２１、２３の頂部、センター刃２７の上端が水平方向に同じ高さで並ぶことになる。実使用においては、かみそりヘッド２の軸を皮膚に対して垂直に当ててひげ剃りを行うため、上述してきた同一レベル（高さ）の定義はかみそりヘッド２の軸を基準とするものも含むこととする。本体ケース１に対してかみそりヘッド２が前傾姿勢或いは後傾姿勢とする方法としては、本体ケース１の中途から前方或いは後方に屈曲させても実現できる。かみそりヘッド２は本体ケース１に対して固定せずに、上下動自在、左右傾動自在或いは前後傾動自在に取り付けられていてもよい。
【００４２】
また、本実施形態に係る電気かみそりは、キワゾリ刃支持部５１がキワゾリつまみ１１に対して一体的に上下スライド移動を行うものであるが、キワゾリつまみ１１を上方スライド移動またはプッシュ動作した場合に、キワゾリ支持部５１が、本体ケース１の壁面に沿って収納された状態から横軸まわりに約９０°回転して略水平に突出する状態になる形態のキワゾリ刃ユニットであってもよい。この場合でもキワゾリ用固定刃を電極として利用する。
【００４３】
なお、特許請求の範囲における「体毛処理部上」とは、体毛処理部にある構成部品（例えばセンター刃）を電極部としたり、体毛処理部にある構成部品（例えば外刃ホルダー）を介して通電専用の電極部（例えば棒状体）を設けたような直接的配置形態のほかに、グリップ兼用の本体ケース１から延出した延出体（例えばキワゾリつまみ）を利用して電極部（例えばキワゾリ刃）を体毛処理部に接近させた、間接的配置形態も含むものとする。また、センター刃２７又はキワゾリ刃１２は外刃２１、２３との皮膚への同時当接が可能であれば略同一レベル位置ある必要はない。
【００４４】
（本発明の第２の実施形態）
本発明の体毛処理装置に係る第２の実施形態の電気かみそりについて、図８、図９、図１０に基づき説明する。この実施形態の電気かみそりは、第１の実施形態の電気かみそりを基本としているが、前後に配設された２組の外刃（前外刃２１、後外刃２３）間に配設されたセンター刃２７に換えて、細長い電極バー（棒状体）６１を配設したものである。電極バー（棒状体）６１は、断面円形の棒状のステンレス材などの金属を折り曲げてコ字状に形成してなり、その両端が、外刃ホルダー２６の左右端に固定された筒状の浮動支持体６２によって支持される。浮動支持体６２は、その内部にばね部材（図示せず）が設けられており、電極バー（棒状体）６１に固定したリング体（図示せず）の下面を押圧できるようになっている。つまり電極バー（棒状体）６１全体が上方に向けて押し上げ付勢されている。これにより、かみそりヘッド２を肌に強く押し当てた場合でも電極バー（棒状体）６１が沈み込むことで、肌の痛みを緩和することができる。電極バー（棒状体）６１は毛起こし効果があり、早剃りを実現できる。電極バー（棒状体）６１は金属を折り曲げてコ字状に形成するものに限らず、プラスチック（樹脂）でコの字に形成した成形品に不動態金属を被覆したものであってもよい。ばね部材を設けずに電極バー（棒状体）６１を固定した構造であってもよい。他は先の実施例と同じであるので、図ごと省略していたり、図示している場合でも同じ部材に同じ符号を付してその説明を省略している。以下の実施例においても同様に扱う。
【００４５】
電極バー（棒状体）６１の端部はプラスリード５２と接続されており、外刃２１、２３と直接当接している外刃側金属片３３ａ、３３ｂはマイナスリード５３と接続されている（図９参照）。したがって第１の実施形態と同様の作用が得られる。ただし電極バー（棒状体）６１での回収効果は第１の実施形態ほど大きくはない。電極バー（棒状体）６１の皮膚との接触面となる中央部分を水平に蛇行或いはジグザグ状となるよう連続的に折り曲げれば回収効果は向上する。また、上下方向に蛇行或いはジグザグ状となるよう連続的に折り曲げれば毛起こし効果がより向上する。電極バー６１は外刃２１、２３の長手方向の軸と略同一軸となっており、外刃２１、２３の左右寸法と同じか僅かに長く設定されている。
【００４６】
電極バー６１を、外刃２１、２３の近接した周辺であって、略同一レベル位置に設けたことにより、電極バー６１と外刃２１、２３とが皮膚に同時当接が可能となっており、これにより確実に微弱電流を皮膚に供給することが可能となる。なお、上述したようにプラス電極部では、金属イオンが溶出（金属腐食）するため不動態金属で形成する方が好ましい。不動態金属は一般的にイオン化傾向の小さい金属、例えば金やプラチナであるが、例外としてチタンなどがある。これら金属でプラス電極部のすべてを構成した場合、高価な金属であるためコスト的に負担が大きい。そのため、鉄やステンレスなどの金属或いは樹脂（プラスチック）、セラミックの表面に、メッキ、スパッタリング、蒸着などの方法により金、プラチナ、チタンなどの不動態金属の被膜を形成した電極部とする方が好ましい。これにより、金属イオンが溶出し難くなり、使用者が金属アレルギーによる皮膚炎を起こすのを防止できる。本実施形態の電気かみそりであれば、プラス電極部となる電極バー（棒状体）６１の表面を不動態金属で被覆する。また、逆極性に設定した場合は、つまり、外刃２１、２３をプラス電極部とし、電極バー（棒状体）６１をマイナス電極部とした場合は、外刃２１、２３の外表面を被覆する必要がある。ただ、外刃２１、２３をプラス電極部とし、電極バー（棒状体）６１をマイナス電極部とした場合、外刃２１、２３の表面から金属イオンが溶出することになるが、これを防止するため、外刃２１、２３の表面に金やチタンで被覆する必要がある。外刃２１、２３の表面は、電極バー（棒状体）６１に比べ表面積が大きいため、不動態金属でその表面を被覆した場合、コスト的に不利となる。また、外刃２１、２３の厚みが０．０５ｍｍ前後で、電極バー（棒状体）６１の直径は、約１．０ｍｍで、後者の方が強度が高い。そこで、外刃２１、２３をマイナス電極部とし、表面積が少なく電解腐食による割れの危険性の少ない電極バー（棒状体）６１をプラス電極部としたうえで、後者側の表面を不動態金属で被覆する方が好ましい。電極バー（棒状体）６１は上下動自在に浮動支持する必要はなく、固定構造であってもよい。電極バー（棒状体）６１は、断面円形の棒状体に限らず、断面多角形の棒状体であってもよく、平板状の棒状体であってもよい。
【００４７】
図９における符号６３、６４は、外刃２３と電極バー６１を通じて皮膚に微弱電流を供給するか、外刃２１と電極バー６１を通じて皮膚に微弱電流を供給するか、或いは両方同時に通電して皮膚に微弱電流を供給するかを選択するためのトランジスタからなるスイッチである。同スイッチ６３、６４のベース側に制御部３８から電流を流すことにより、スイッチはオンする。スイッチ６３、６４を同時であり、且つ断続的にオンすることにより、パルス的な刺激を与えながらのシェービングが可能となる。または、スイッチ６３がオンのときスイッチ６４をオフ、スイッチ６３がオフのときスイッチ６５をオフ、これを繰り返すような制御を行うことでもパルス的な刺激を与えながらのシェービングが可能となる。内刃２０・２２の下方にある矢印は、内刃２０・２２の回転方向を示したものである。
【００４８】
本実施形態では、前外刃２１の頂部と後外刃２３の頂部を結ぶ仮想線上付近、つまり、略同一レベル位置になるよう電極バー６１を設けているが、電極バー６１と外刃２１、２３とが皮膚に同時当接が可能であれば、それにとらわれる必要はない。
【００４９】
また、図１０に示すように電極バー（棒状体）６１の中途に、電極バー（棒状体）６１が上下動した際に、外刃２１、２３と接触してショートしないように絶縁体６３を設けることができる。この絶縁体６３は、円筒状のプラスチックで形成されており、電極バー（棒状体）６１に挿通して所定の位置で横軸回りに回転可能な状態で支持される。絶縁体６３を回転可能に支持することにより、体毛処理（ひげ剃り処理）の対象となる、頬、顎などの局所を通電しながら体毛処理を行うとき、かみそりヘッド２を滑らかに移動させることができる。もちろん電極バー（棒状体）６１と外刃２１、２３との接触を防止さえできれば回転可能に支持する必要はない。
【００５０】
（本発明の第３の実施形態）
本発明の体毛処理装置に係る第３の実施形態の電気かみそりについて、図１１、図１２に基づき説明する。本実施形態に係る電気かみそりは、棒状体６１を外刃２１、２３間ではなく、第１の実施形態におけるキワゾリ刃支持部５１の上面に設けている。この棒状体６１は、プラスチック製のキワゾリ刃支持部５１に一体成形にて左右方向に長く形成されており、その表面に不動態金属を被覆してこれをプラス電極部としている。センター刃２７もプラス電極部となっているが、本実施形態においてはキワゾリ刃１２はプラス電極部とはなっていない。マイナス電極部は外刃２１、２３となっている。上記棒状体６１は断面が半円のかまぼこ状となっているが、断面が三角又は四角形状であってもよい。棒状体６１はキワゾリ刃支持部５１と一体で成形する必要はなく別体であってもよい。或いは、キワゾリ刃支持部５１の上面に別体で回転ローラーを設けて、これをプラス電極部としてもよい。これにより、キワゾリ刃１２が滑らかに皮膚上を移動できる。本実施形態においても第１の実施形態と同様にキワゾリつまみ１１をスライド移動することにより、棒状体６１を、外刃２１、２３の周辺であって、略同一レベル位置に設けることができるので、電極バー６１と外刃２１、２３とが皮膚に同時当接が可能となっており、これにより確実に微弱電流を皮膚に供給することが可能となる。棒状体６１は外刃２１、２３の長手方向の軸と略同一軸となっており、外刃２１、２３の左右寸法と略同じ寸法に設定されている。
【００５１】
外刃２１、２３やセンター刃２７に汚れを回収する役割を課しているが、本実施形態では、別途、汚れ回収つまみ３７を前面側に設け、その上端に円筒状の汚れ回収台３６を形成しており、キワゾリつまみ１１及びキワゾリ刃１２と同様に図１１に示される収容位置から図１２に示される外刃２１、２３と同一レベル位置（回収位置）までスライドさせて使用する。汚れ回収台３６に合成繊維、不織布、ガーゼなどからなる回収シート５５を被せ、無端枠状の固定体５６を汚れ回収台３６に嵌合装着することにより、回収シート５５の上面が固定体５６の枠から露呈した状態で固定される。汚れ回収台３６、回収シート５５、固定体５６によって汚れ回収部７２が構成される。回収シート５５に汚れが溜まった場合は、固定体５６を汚れ回収台３６から外し、回収シート５５を交換すれば、手入れが完了する。このため汚れ回収部７２の手入れ（すなわち回収した老廃物等の汚れ清掃）が容易となる。なお、本体ケース１前面に汚れ回収部７２を形成したが、センター刃２７部分でもよいし、キワゾリ刃１２部分であってもよい。
【００５２】
（本発明の第４の実施形態）
本発明の体毛処理装置に係る第４の実施形態の電気かみそりについて、図１３に基づき説明する。本実施形態に係る電気かみそりは、内ケース２６ａまたは外ケース２６ｂの上面に上方に向けて突出する棒状の突出体６５を配設している。突出体６５はステンレスを折り曲げてくの字状に形成されており、コイルばねなどのばね部材６６で上方に押し上げ付勢されている。突出体６５の表面に不動態金属を被覆してこれをプラス電極部としている。マイナス電極部は外刃２１、２３となっている。突出体６５自身が導電性を有していれば、その表面を不動態金属で被覆する必要はないが金属イオンの溶出を考慮すれば被覆する方が好ましい。
【００５３】
突出体６５は、外刃２１、２３の左右に１つずつ、折り曲げられた上半部が外向きとなるよう配置されている。外刃ホルダー２６の内ケース２６ａまたは外ケース２６ｂ、本実施形態では外ケース２６ｂの上面に貫通口６７を形成して、この貫通口６７に突出体６５を挿通して上下動自在に支持する。突出体６５の下端は、外ケース２６ｂに支持されたコイルばね６６と接触しており、突出体６５全体が上方に押し上げ付勢されている。すなわち、外向き（左右方向）に開いた一対の突出体６５・６５が、外刃ホルダー２６に対して上下動自在に支持されている。突出体６５の上端は、通常外刃２１、２３よりも上方に離れた位置にあるが、かみそりヘッドを体毛処理面（皮膚）に押しつけたときは、押圧力を加えることにより沈み込み、外刃２１、２３と略同一レベル或るはそれより上方位置となる位置まで下がってくる。ばね部材６６により皮膚の痛みを緩和できる。このとき外向きに開いた一対の突出体６５・６５によって皮膚が引っ張られ早剃り、深ぞりが可能となる。突出体６５は１つでも皮膚を引っ張ることができるので、左右のいずれかに１つだけ設けてもよいし、左側に２つ右側に２つなど左右それぞれに複数の突出体６５を設けてもよい。突出体６５はプラスチックでくの字に形成した成形品に不動態金属を被覆したものであってもよい。突出体６５はくの字に形成する必要はなく一文字状に形成しその軸を外刃ホルダー２６に対して垂直となるよう配置したものであってもよい。これによっても皮膚の引っ張り作用は得られる。突出体６５の上端が、外刃２１、２３と略同一レベル或るは上方位置であっても外刃２１、２３と突出体６５との同時当接が可能であれば、上下動させる必要はない。このように本実施形態においても、突出体６５を、外刃２１、２３の周辺であって、皮膚への同時当接が可能な位置に設けているので、シェービング時に皮膚に対して確実に微弱電流を供給することが可能となる。
【００５４】
また、本実施形態に係る電気かみそりは、外刃ホルダー２６の左右に突出体６５を設けてこれを電極部とした構造であるが、外刃２１と外刃２３の間に突出体６５を配置したものであってもよい。つまり、第１の実施形態のセンター刃２７に換えて、外刃２１と外刃２３との間のデッドスペースに、上方に向けて突出した棒状の突出体６５を配置する。具体的には、外刃２１・２３の長手方向と略同寸法の棒状体に複数の突出体６５を所定間隔で列設している。そしてこの棒状体が、コイルばねなどのばね部材にて上方に向けて付勢されることで、すべての突出体６５が上方に向けて付勢される。この突出体６５はプラスチック製であり、その表面に、メッキ、スパッタリング、蒸着などの方法により金、プラチナ、チタンなどの不動態金属を被膜してプラス電極部としている。一方、外刃２１と外刃２３をマイナス電極部としている。
【００５５】
かみそりヘッド２を皮膚に押し当てシェービングする際、突出体６５が皮膚を突っ張りながら、しかしばね部材によって痛みを緩和しながら、外・内刃による切断を行うため、良好な早剃り、深剃りが可能となる。このとき、突出体６５は、外刃２１と外刃２３の間であって、その上端を前外刃２１の頂部と後外刃２３の頂部を結ぶ仮想線上付近、つまり、略同一レベル位置になるよう設けているので、突出体６５と外刃２１、２３とが皮膚に同時当接が可能となっており、これにより確実に微弱電流を皮膚に供給することが可能となる。コイルばねのばね荷重を弱め、突出体６５の上下移動のストロークを大きくとれば、自然状態のときに突出体６５の上端が上方に大きく離れて位置していても、皮膚への押し付け時に突出体６５の上端が略同一レベルに位置できる構成とできる。また、突出体６５は、その上端が前外刃２１の頂部と後外刃２３の頂部を結ぶ仮想線上付近にあれば、必ずしもばね部材によって上方に向けて押し上げ付勢される必要はない。突出体６５は、外刃２１と外刃２３との間であって外刃長手方向に列設されていれば、棒状体に一体で構成されるものに限らず、１つ１つ単独で外刃ホルダーに取り付けられるものであってもよい。その場合も、ばね付勢の有無は問わない。突出体６５はステンレスなどの金属材に不動態金属を被膜したものであってもよい。
【００５６】
上記実施形態では、ロータリー式電気かみそりについて説明したが、本発明はかみそりヘッド２に往復振動子を配した往復式電気かみそりや縦軸回りに回転する内刃をもつ回転式電気かみそりにも適用できる。また、上記実施形態では、前後に配設された２組の外刃（前外刃２１、後外刃２３）及び当該外刃に内接する内刃（前内刃２０、後内刃２２）から成る短毛カット刃で構成されているが、一方の外・内刃（例えば前外刃２１及び前内刃２０）を省略し短毛カット刃を１つの構造としたものであってもよい。そのときはセンター刃２７は前後に配設された２組の外刃間のセンターにないので短毛カット刃横の長毛カット刃と表現する。さらにこの短毛カット刃横の長毛カット刃も省略し、きわぞり刃１２のみを短毛カット刃の横に配設することができる。或いはきわぞり刃１２を省略し、短毛カット刃横の長毛カット刃を配設することができる。何れの構造であっても、外刃または外刃を保持する部材を一方の電極部とし、短毛カット刃横の長毛カット刃或いはきわぞり刃１２をその対極となる電極部として、両電極の皮膚への同時当接を可能にしたものである。当然ながら棒状体６１、突出体６５を含む構造においても、一方の外・内刃を省略した１つの短毛カット刃と組み合わせた構造であってもよい。その場合も当然、外刃または外刃を保持する部材を一方の電極部とし、棒状体６１、突出体６５をその対極となる電極部として、両電極の皮膚への同時当接を可能にしたものとなる。
【００５７】
（本発明の第５の実施形態）
本発明の体毛処理装置に係る第５の実施形態として、美容などで体毛を取り除くために使用される脱毛器について、図１４、図１５に基づき説明する。図１４、図１５は何れも本実施形態に係る脱毛器の斜視図である。本実施形態の脱毛器は、円板状の複数枚の金属製の回転爪４０を有し、回転爪４０が枢軸されている軸が回転する度に回転爪４０を構成する可動爪４１、固定爪４２のうち可動爪４１が回転軸方向に揺動し、可動爪４１同士が、又は、可動爪４１と固定爪４２とが体毛を挟み、挟んだ状態で回転方向に引き抜く構成である。
【００５８】
以上は、回転爪式脱毛器の一般的な構成であるが、本実施形態に係る脱毛器は、可動爪４１及び／又は固定爪４２をプラス電極部とし、回転爪４０の回転軸を支持する支持ケース７２の上部に、金属シート７５を設けてマイナス電極部としている。もちろん可動爪４１及び／又は固定爪４２をマイナス電極部とし、金属シートをプラス電極部としてもよい。支持ケース７２の上部に金属シート７５を設けずに支持ケース７２の表面全体或いは一部に不動態金属で被覆して電極部とした構成であってもよい。
【００５９】
グリップ兼用の本体ケース７０の前面には、本体ケース７０内の回転爪駆動用モータを駆動するスイッチノブ７３が配設される。スイッチノブ７３をオンすれば回転爪４０を回転するとともに回転爪４０と支持ケース７２の上部の電極部に電圧を印加する。本体ケース７０の上部に回転爪４０や支持ケース７２を含む脱毛ヘッド７１が設けられるが、この脱毛ヘッド７１は着脱可能となっており、幅の小さな別の脱毛ヘッドや外刃・内刃を有するかみそりヘッドなどに交換可能となっている。この脱毛ヘッド７１に上記実施例における棒状体、突出体を設けて電極部としてもよい。一方の電極部である回転爪４０と他方の電極部である支持ケース７２の上面は、略同一面上に位置しており、両者が皮膚に同時当接が可能となっており、これにより確実に微弱電流を皮膚に供給することが可能となる。何れの電極部も不動態金属で被覆して金属アレルギーの防止を図っている。
【００６０】
本実施形態に係る脱毛器においては、電極部で皮膚をクレンジングし皮膚の汚れが毛穴から取れた状態で円滑に脱毛することもできる。さらに、脱毛器の前面或いは後面上部で脱毛ヘッド７１の周辺に図１１、図１２に示す汚れ回収部を設け、電極部で皮膚をクレンジングし皮膚の汚れが毛穴から取れた状態で円滑に脱毛し、脱毛した皮膚は毛穴が開口した状態となって菌が進入し炎症しやすいが、汚れ回収部にて清潔にすることで菌の進入を防止することができる。
【図面の簡単な説明】
【００６１】
【図１】本発明に係る第１の実施形態の電気かみそりの正面図である。
【図２】本発明に係る第１の実施形態の電気かみそりの側面図である。
【図３】本発明に係る第１の実施形態の電気かみそりの上部構造説明図である。
【図４】本発明に係る第１の実施形態の電気かみそりの各構成要素の分解説明図である。
【図５】本発明に係る第１の実施形態の電気かみそりのパルス波形図である。
【図６】本発明に係る第１の実施形態の電気かみそりの全体模式図である。
【図７】本発明に係る第１の実施形態の電気かみそりの極性を交互に切り換えたパルス波形図である。
【図８】本発明に係る第２の実施形態の電気かみそりの概略斜視図である。
【図９】本発明に係る第２の実施形態の電気かみそりの概略説明図である。
【図１０】本発明に係る第２の実施形態の電気かみそりの電極バーの別実施例である。
【図１１】本発明に係る第３の実施形態の電気かみそりの側面図である。
【図１２】本発明に係る第３の実施形態の電気かみそりの別側面図である。
【図１３】本発明に係る第４の実施形態の電気かみそりの正面図である。
【図１４】本発明に係る第５の実施形態の脱毛器の斜視図である。
【図１５】本発明に係る第５の実施形態の脱毛器の別斜視図である。
【符号の説明】
【００６２】
１ 本体ケース
２ かみそりヘッド
４ 電源スイッチ
１１ キワゾリつまみ
１２ キワゾリ刃
２０ （前に配置された）内刃
２１ （前に配置された）外刃
２２ （後に配置された）内刃
２３ （後に配置された）外刃
２６ 外刃ホルダー
２６ａ 内ケース
２６ｂ 外ケース
２７ センター刃
２８ 可動内刃
２９ 固定外刃
３８ 制御部
４０ 回転爪
４１ 可動爪
４２ 固定爪
７２  支持ケース
【図１】
2008307097.tif 000003
【図２】
2008307097.tif 000004
【図３】
2008307097.tif 000005
【図４】
2008307097.tif 000006
【図５】
2008307097.tif 000007
【図６】
2008307097.tif 000008
【図７】
2008307097.tif 000009
【図８】
2008307097.tif 000010
【図９】
2008307097.tif 000011
【図１０】
2008307097.tif 000012
【図１１】
2008307097.tif 000013
【図１２】
2008307097.tif 000014
【図１３】
2008307097.tif 000015
【図１４】
2008307097.tif 000016
【図１５】
2008307097.tif 000017